(57)【要約】
【課題】  本考案は筐体収納物を収納するケースで１回の動作で収納物を収納出来、同時に落下防止の安全装置が掛かり、取り出す時には、１回の動作で落下防止の安全装置がはずれ、取り出し易い位置にて止まり、取りだせる。
【解決手段】  収納ケース内部に伸縮機能を有した装置３を取り付け筐体収納物と接する面と一体化した収納ケースの開口上部縁より上に出たバネ付ヒンジ２ｄによりバネ付ヒンジ先の落下防止の安全装置２ｅが動き固体収納物を収納できる。
【選択図】  図１
0003100958.tif 000002
【実用新案登録請求の範囲】
【請求項１】
上方が開放状態の収納ケースで本体内部に伸縮する部材を入れ、収納する筐体を上部から押し込むことにより、上部が開放状態となっている開口部に筐体を固定する突起物が起き上がり筐体を固定し留め金具で止める筐体収納ケース
【請求項２】
留め金具を外すと収納した筐体が伸縮材の力でもち上げられ取り出し易い位置で止まる
【請求項３】
収納筐体が取り出し易い位置にきたときに筐体と接する面と一体となった板状の先に取り付けられた突起物が動き、収納された筐体を取り出せる。
【考案の詳細な説明】
【技術分野】
【０００１】  本考案は内部に伸縮する部材を内蔵した収納ケースに関するものである
【背景技術】
【０００２】  布、伸縮する素材、皮革を素材とした、上方からベルト状の物の固定装置で止めるもので、固定装置の先に、ホック、マジックテープ、金属差込錠、がありベルト状の止め具をかぶせる固定装置で止めるものでした。実用新案０９−８８８５号公報の構造
【考案の開示】
【考案が解決しようとする課題】
【０００３】  収納した状態から筐体を取り出すのにベルト状の先にある止め金具をはずす動作と収納ケースから取り出す動作の２回の動作が必要でした。収納するときには１度蓋状の固定する装置を持ち上げておき、収納後、再び蓋状の固定する装置を下げて止め金具をおさえなければならなかった。
【課題を解決するための手段】
【０００４】  本考案は筐体を収納するケースに伸縮する部材を内蔵し留め金具を用い、収納する筐体と接する部分と一体化した板状の連結板の先にバネ付ヒンジを取り付けたことにより、筐体を収納する時にバネ付ヒンジが収納ケースの上部の縁と接しヒンジ先に取り付けた落下防止の装置が働き、１回の動作で確実に収納できる。【０００５】  筐体を収納ケースから取り出すときは止め金具をはずすと内蔵の伸縮部材の力により収納物を取り出し易い位置まで移動でき、バネ付ヒンジ先の落下防止の装置がはずれ容易に収納筐体を取り出すことができる。１回の動作で完結する。
【考案の効果】
【０００６】上述の様に本考案の筐体収納ケースは、筐体収納時１回の動作で筐体を収納出来、その上落下防止の安全装置も掛かり筐体収納物が固定される。逆に筐体収納物を取り出す時１回の動作で安全装置がはずれ、固体収納物を取り出し易い位置まで移動させ、取り出す事ができる。体に装着する時に誤作動しない様に留め金具を２本の指でつまむ様にして作動させる。
【考案を実施するための最良の形態】
【０００７】  収納ケースの内部に伸縮する部材を収納する筐体と接する面に取り付け、内部の伸縮する部材が伸びた状態の時に、その筐体と接する面と一体化した板状の連結板に収納ケース上方の縁より上に突き出る位置でバネ付ヒンジを取り付けます。そのバネつきヒンジ先に外側に跳ねる様に突起物を取り付けます。収納する筐体を押し込むことにより伸縮する部材が圧縮され筐体と接する面と一体化した板状の連結板の先に付けられたバネ付ヒンジが収納ケースの上部縁と接し、外側に跳ねていたバネ付ヒンジ先の突起物が、収納する筐体の上部にかぶさる様になります。収納する筐体が収納となる位置で留め金具と接し固定されます。【０００８】  取り出すときには留め金具をはずすことにより伸縮体の力により収納した筐体を押し上げ収納した筐体と接する面と一体化した板状の連結先に付けられたバネ付ヒンジが収納ケースの上部縁より上に出る為、収納している筐体の上部よりヒンジ先の突起物が外側にずれ、尚、収納している筐体が収納ケース内部に取り付けられた飛び出し防止の板により取り出し易い位置にて止まり、簡単に取り出せる。
【実施例１】
【０００９】  以下、添付図面に従って一実施例を説明する。１は収納ケースで皮革とか軟質のプラスチック素材等比較的加工し易い素材でできている収納ケースで、腰に下げたり、裏面に両面テープを貼り付けたり、マジックテープを貼り付け、及びマジックテープを縫い付けし、起毛した面に貼り付けたりもできます。２ａは収納する筐体と接する面をあらわし２ｃは２ａと一体となった上方にのびた板状のもので、その先にバネ付ヒンジ２ｄを取り付け、なおその先に収納筐体を止める為に２ｅのＬ型になった状態の部品を取り付けてあります。
【実施例２】
【０００１０】  収納ケース内部の下部にコイルバネを取り付け、収納物を上方から押し込むことにより収納する固体と接する面２ａから伸びている２ｂのつめが１のケースの下方に設置してある３の留め金具に押し込まれ、バネは圧縮された状態になります。
【実施例３】
【００１１】一方２ａと一体化している２ｃの先に２ｄのバネ付ヒンジが取り付けてあり２ｅのＬ型になった部品５の収納ケースの上縁に接し内側に引き込まれ、Ｌ型になった部品が体を折り曲げた時の落下防止、及び飛び跳ねた時の安全装置となり収納する筐体の固定化の役割をはたします。
【実施例４】
【００１２】  取り出す時には３の留め金具の両端８のつめを２本の指で押さえることにより２ｂのつめがはずれバネの力により２ａがおしあげられ２ａと一体化している２ｃ，２ｄ，２ｅも押し上げられ引き込まれていた２ｄの部分が収納ケースの上縁より上方にでて、バネ付ヒンジより上方に取り付けられた２ｅのＬ型になった部品がバネの力により収納固体を止めてあった反対の方向に動き、取り出すことができます。
【実施例５】
【００１３】  取り出すときにバネの力が大き過ぎないように、６の部品を設置します。このことにより収納物が力強く持ち上がり取り出し易い位置でとまります。収納筐体を保護する役割も果たします。７は２ｃを垂直に持ち上がるよう導く部品です。７ａ、７ｂと設置します。
【図面の簡単な説明】
【図１】考案の一実施例を示す筐体収納物を収納した時の俯瞰図である。
【図２】筐体収納物を収納した時の内部正面の図である。
【図３】筐体収納物を取り出したときの内部正面の図である。
【図４】筐体収納物を収納した時の内部断面の図である。
【図５】筐体収納物を取り出した時の内部断面の図である。
【符号の説明】
【００１４】１    収納ケース
２ａ  収納筐体と接する面
２ｂ  収納筐体と接する面から一体化した留め金具用のツメ
２ｃ  収納筐体と接する面から取り出し口にのびヒンジと一体化した連絡板
２ｄ  連結板とＬ型になった落下防止装置の間」に設けられたバネ付ヒンジ
２ｅ  バネ付ヒンジ先のＬ型になった落下防止装置
３    留め金具
４    伸縮材（バネ）
５    ケース上部の堅い縁
６    収納筐体保護と同時に取り出し易い位置で止まるようにする為のストッパー用の板状の物
７ａ  筐体収納物と接した面と一体化したヒンジを垂直に移動させる溝を作る板  右
７ｂ  筐体収納物と接した面と一体化したヒンジを垂直に移動させる溝を作る板  左
８    留め金具を動かすツメ
【図１】
0003100958.tif 000003
【図２】
0003100958.tif 000004
【図３】
0003100958.tif 000005
【図４】
0003100958.tif 000006
【図５】
0003100958.tif 000007
【手続補正書】
【提出日】平成15年10月30日(2003.10.30)
【手続補正１】
【補正対象書類名】実用新案登録請求の範囲
【補正対象項目名】全文
【補正方法】変更
【補正の内容】
【実用新案登録請求の範囲】
【請求項１】
上方が開放状態の収納ケースで本体内部に伸縮する部材を入れ、収納する筐体を上部から押し込むことにより、上部が開放状態となっている開口部に筐体を固定する突起物が起き上がり筐体を固定し留め金具で止める筐体収納ケース
【請求項２】
留め金具を外すと収納した筐体が伸縮材の力でもち上げられ、取り出し易い位置で止まることを特徴とする請求項１記載の筐体収納ケース。
【請求項３】
収納筐体が取り出し易い位置にきたときに筐体と接する面と一体となった板状の先に取り付けられた突起物が動き、収納された筐体を取り出せることを特徴とする請求項１記載の筐体収納ケース。